(57)【要約】【課題】簡易・低廉な構成で、安定した画像品質を得ることができる画像読取装置を提供する。【解決手段】画像読取光を画像読取素子に導く集光部材４と、該集光部材４を保持する保持部材７と、該保持部材が設置される設置面８と、を備えた画像読取装置において、保持部材４は、設置面８に接地する３ヶ所の接地部を有し、該３ヶ所の接地部を設置面８に固定することを特徴とする。これにより、集光部材の光学中心が理想光学中心に対して傾いて取り付けられることがないので、画像読取素子上に画像を正しく結像することができる。【選択図】　図１
2004102098.tif 000002
【特許請求の範囲】
【請求項１】
画像読取光を画像読取素子に導く集光部材と、該集光部材を保持する保持部材と、該保持部材が設置される設置面と、を備えた画像読取装置において、
前記保持部材は、前記設置面に接地する３ヶ所の接地部を有し、該３ヶ所の接地部を前記設置面に固定することを特徴とする画像読取装置。
【請求項２】
前記保持部材は、前記設置面に対して該保持部材を位置決めする位置決め部を備えたことを特徴とする請求項１に記載の画像読取装置。
【請求項３】
前記集光部材と前記保持部材とを備えた集光手段の重心が、前記３ヶ所の接地部で形成される三角形の内部に位置することを特徴とする請求項１または２に記載の画像読取装置。
【請求項４】
前記集光手段の重心が、前記３ヶ所の接地部で形成される三角形の重心と略一致することを特徴とする請求項３に記載の画像読取装置。
【発明の詳細な説明】
【０００１】
【発明の属する技術分野】
本発明は、複写機やイメージスキャナ等の画像読取装置に関するものである。
【０００２】
【従来の技術】
従来、この種の画像読取装置として、たとえば、複写機やイメージスキャナ等がある。
【０００３】
図３は画像読取装置の一例を示す概略断面図である（例えば、特許文献１参照。）。
【０００４】
【特許文献１】
特開２０００−２２９０６号公報
【０００５】
原稿台ガラス１上に載置された原稿の画像情報を、光源２１と、該光源２１から発せられた光を原稿面に導く反射笠２２と、原稿面で反射された光を折り返す第１の折り返しミラー２３と、を備えた第１ミラーユニット２を、速度Ｖで図中（２ａ）の位置から（２ｂ）の位置まで移動させる間に、第２，第３の折り返しミラー３１，３２を備えた第２ミラーユニット３を、速度Ｖ／２で図中（３ａ）から（３ｂ）まで移動させることで、原稿画像の反射光を、レンズ群４により集光し、ＣＣＤ５上に結像させることで原稿画像を読み取る。
【０００６】
そして、図４に示すように、レンズ群４はレンズホルダ７の中に格納され、レンズ群４とレンズホルダ７とでレンズユニットを構成する。そして、レンズホルダ７は、レンズホルダ７を位置決めする位置決め穴と２ヶ所の接地部７ｂを、胴体部から羽根状に出ている部分に持ち、前記２ヶ所の接地部７ｂとレンズホルダ７底部に設けられた１ヶ所の接地部７ｃをレンズ台８の表面に接地させて位置決めされる。
【０００７】
また、ＣＣＤ５とレンズホルダ７は、ピントや倍率などの光学調整を行った後に、レンズ台８にねじ９で固定部７ａを固定されＣＣＤユニットを構成する。
【０００８】
【発明が解決しようとする課題】
しかしながら、上記のような従来技術の場合には、下記のような問題が生じていた。
【０００９】
レンズホルダ７をレンズ台８に固定する際、３点（２つの７ｂと７ｃ）を接地させて、２点しか固定しないため、レンズ台８に設けられたねじ穴がレンズホルダ７を接地するための面に対して垂直でなかったり、図６に示すように、ねじの頭部分が水平方向に対して微少角度θを持っていたりすると、レンズホルダ７が傾いてしまい、固定されない接地部７ｃがレンズ台８に接地しないで隙間が発生し、適正に位置決めすることができない。
【００１０】
このようにレンズホルダ７が傾いて位置決めされると、レンズ群４の光学中心は、理想光学中心に対して傾きを持つことになり、ＣＣＤ５上に画像が正しく結像されなくなる。
【００１１】
また、第１ミラーユニット２と第２ミラーユニット３を走査することで振動が発生したり、画像読取動作中に装置に振動が与えられると、レンズホルダ７は振動してしまい、ＣＣＤ５上の結像位置が周期的に変動し、画像品位の低下を引き起こす。
【００１２】
特に、それぞれ赤、緑、青のフィルタを持つ３ラインＣＣＤを具備するフルカラー画像読取装置においては各色ごとの読取りずれが発生し、画像品位の低下が顕著に現れてくる。
【００１３】
これに対し、特開２０００−２２９０６号公報には図５に示されているような構成のものが提案されており、ばね部材を追加し、レンズホルダを強制的にレンズ台に接地させ適正に位置決めし、また、振動の影響を抑えるようにしている。
【００１４】
しかし、かかる構成においては、ばね部材追加によるコストアップや組立性悪化を生じさせていた。
【００１５】
本発明は上記の従来技術の課題を解決するためになされたもので、その目的とするところは、簡易・低廉な構成で安定した画像品質を得ることができる画像読取装置を提供することにある。
【００１６】
【課題を解決するための手段】
上記目的を達成するために本発明にあっては、画像読取光を画像読取素子に導く集光部材と、該集光部材を保持する保持部材と、該保持部材が設置される設置面と、を備えた画像読取装置において、前記保持部材は、前記設置面に接地する３ヶ所の接地部を有し、該３ヶ所の接地部を前記設置面に固定することを特徴とする。
【００１７】
また、前記保持部材は、前記設置面に対して該保持部材を位置決めする位置決め部を備えたことは好適である。
【００１８】
また、前記集光部材と前記保持部材とを備えた集光手段の重心が、前記３ヶ所の接地部で形成される三角形の内部に位置することは好適である。
【００１９】
さらに、前記集光手段の重心が、前記３ヶ所の接地部で形成される三角形の重心と略一致することは好適である。
【００２０】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２１】
（第１の実施の形態）
図１，図２を参照して、本発明の第１の実施の形態に係る画像読取装置について説明する。
【００２２】
図１は、本発明の実施の形態に係る画像読取装置の主要部の配置位置説明図であり、（ａ）は平面的模式図、（ｂ）は側面的模式図である。
【００２３】
なお、本実施の形態に係る画像読取装置の基本的構成は、図３等を用いて説明した従来の技術の項を参照するものとし、同一の構成部分については同一の符号を付して、その説明は省略する。
【００２４】
図３に示すように、原稿台ガラス１上に載置された原稿の画像情報は、次のように読み込まれる。
【００２５】
原稿を照明する光源２１と、該光源２１から発せられた光を原稿面に導く反射笠２２と、原稿面で反射された光を折り返す第１の折り返しミラー２３とを備えた第１ミラーユニット２を、速度Ｖで図中（２ａ）の位置から（２ｂ）の位置まで移動させる。同時に第２，第３の折り返しミラー３１，３２を備えた第２ミラーユニット３を、速度Ｖ／２で図中（３ａ）から（３ｃ）まで移動させ、原稿画像の反射光を、原稿読取装置内部に固定された集光部材であるレンズ群４により集光し、光電変換素子であるＣＣＤ５上に結像させることで原稿画像を読み取る。
【００２６】
そして、図１に示すように、集光部材であるレンズ群４は保持部材であるレンズホルダ７の中に格納され、レンズ群４とレンズホルダ７とでレンズユニット（集光手段）を構成する。
【００２７】
また、ＣＣＤ５とレンズホルダ７は、ピントや倍率などの光学的な調整を行った後に、レンズ台８にねじ９で固定されＣＣＤユニットを構成する。
【００２８】
そして、レンズユニットは、画像読取光の光路方向の異なる位置でそれぞれ位置決めされる。
【００２９】
かかる構成において、レンズホルダ７は、レンズホルダ７を位置決めする２ヶ所の位置決め穴１０と、レンズホルダ７の胴体部から羽根状に突出した部分である３ヶ所の接地部と、を備え、該接地部に締結用の穴を有し、この３ヶ所の接地部がねじ９によりレンズ台８の設置面に固定される。そして、レンズ台８はレンズ光軸と平行になるように位置決めされる。
【００３０】
また、レンズホルダ７の位置決めは、上記突出した部分に設けた位置決め穴１０を用いて行い、レンズの光軸を基準に位置決めされる。
【００３１】
このようにねじ締結することによって、３ヶ所の接地部の底面とレンズ台８の設置面が面接触してレンズ台８に位置決め固定される。
【００３２】
なお、本実施の形態において、ねじ締結する３ヶ所は、図１（ａ）に示すように、レンズ群４からＣＣＤ５へ向かう画像読取光の光路と重ならないように該光軸中心に対して片側に２ヶ所、他方側に１ヶ所とし、また、レンズユニットの振動を抑制するように、できる限りレンズホルダ７の胴体部近傍に設けている。
【００３３】
そして、レンズユニットの重心は、３ヶ所の接地部で形成される三角形の内部にあり、レンズユニットが過度に振動するのを防止している。
【００３４】
このように、レンズホルダ７をレンズ台８に３点でねじ締結して固定することにより、レンズ群４の光学中心が理想光学中心に対して傾いて取り付けられることがないので、ＣＣＤ５上に画像を正しく結像することができる。
【００３５】
また、図３に示した原稿照明ユニット２および折り返しミラーユニット３が走査することで振動が発生したり、画像読取動作中に外部から装置に振動が与えられたりする場合においても、レンズユニットが過度に振動することがないので、画像品位の低下を防止することができる。
【００３６】
さらに、図５を用いて説明した従来の技術に係る固定方法で用いているばね部材を使用せずに、正確にレンズホルダ７をレンズ台８に設置することができるので、ばね部材の分コスト削減することができ、また、レンズホルダ７をレンズ台８に設置するのを簡易・迅速に行うことができるので生産性向上を図ることができる。
【００３７】
（第２の実施の形態）
図２には、第２の実施の形態が示されている。上記第１の実施の形態では、光軸中心に対して片側に２ヶ所，他方側に１ヶ所締結部を設けていたが、本実施の形態においては、略光軸中心上に１ヶ所、光軸中心に対して両側に各々１ヶ所締結部を設けている。
【００３８】
その他の構成および作用については第１の実施の形態と同一なので、同一の構成部分については同一の符号を付して、その説明は省略する。
【００３９】
また、レンズホルダ７が接地する設置面は、レンズ台８に構成され、レンズ台８はレンズ光軸と平行になるように位置決めされる。また、レンズホルダ７の位置決めは、胴体部から羽根状に突出している部分に設けた位置決め穴１０を用いて行い、レンズの光軸を基準に位置決めされる。
【００４０】
そして、図２に示すように、レンズユニットの重心Ｇと３ヶ所の締結部で形成される三角形の重心ｇが略一致するようにしている。
【００４１】
このようにレンズユニットの重心Ｇと３ヶ所の締結部で形成される三角形の重心ｇを略一致させることにより、図３に示した原稿照明ユニット２および折り返しミラーユニット３が走査することで振動が発生したり、画像読取動作中に外部から装置に振動が与えられたりする場合においても、レンズユニットの振動を最小限に抑えることができるので、画像品位の低下を抑えることができる。
【００４２】
【発明の効果】
以上説明したように、本発明は、画像読取光を画像読取素子に導く集光部材と、該集光部材を保持する保持部材と、該保持部材が設置される設置面と、を備えた画像読取装置において、前記保持部材は、前記設置面に接地する３ヶ所の接地部を有し、該３ヶ所の接地部を前記設置面に固定することにより、集光部材の光学中心が理想光学中心に対して傾いて取り付けられることがないので、画像読取素子上に画像を正しく結像することができる。
【００４３】
また、外部から振動を受けても結像位置が変動することを減少させることができるので画像品位の低下を防止することができる。
【００４４】
また、ばね部材を用いて強制接地させずに保持部材を設置面に固定することにより、部品点数を削減することができるので、コストを削減することができ、また、簡易・迅速に設置することができるので、生産性を向上することができる。
【００４５】
また、前記保持部材は、前記設置面に対して該保持部材を位置決めする位置決め部を備えることにより、固定する際に位置決めをしながら固定するのではなく、固定する前に位置決めを行うことができるので、簡易・迅速に保持部材を設置面に固定することができる。
【００４６】
また、前記集光部材と前記保持部材とを備えた集光手段の重心が、前記３ヶ所の接地部で形成される三角形の内部に位置し、特に前記集光手段の重心が前記３ヶ所の接地部で形成される三角形の重心と略一致させることにより、集光手段の振動を最小限に抑えることができるので、結像位置が変動することによる画像品位の低下を最小限に抑えることができる。
【図面の簡単な説明】
【図１】第１の実施の形態に係る画像読取装置の主要部の配置位置説明図である。
【図２】第２の実施の形態に係る画像読取装置の主要部の配置位置説明図である。
【図３】画像読取装置の概略構成を示す断面的模式図である。
【図４】従来の技術に係る画像読取装置の主要部の配置位置説明図である。
【図５】従来の技術に係る他の画像読取装置の主要部の配置位置説明図である。
【図６】レンズ台にレンズホルダーを固定する際に用いるねじの加工不良の説明図である。
【符号の説明】
１　原稿台ガラス
２　原稿照明ユニット
３　折り返しミラーユニット
４　レンズ群
５　ＣＣＤ
６　筐体
７　レンズホルダ
８　レンズ台
９　ねじ
１０　位置決め穴
【図１】
2004102098.tif 000003
【図２】
2004102098.tif 000004
【図３】
2004102098.tif 000005
【図４】
2004102098.tif 000006
【図５】
2004102098.tif 000007
【図６】
2004102098.tif 000008